(57)【特許請求の範囲】
【請求項１】
建物の外周部分の基礎上に設置した土台とこの土台の外方側に施工される外壁仕上げ材の下端部との間に少なくとも上端部が固定される固定板と、
該固定板の下端部に突設された水切り板と、
前記固定板の下端部に前記水切り板より内方側で突設されて前記基礎に下端部が固定される防蟻用固定板と
を備えた土台水切り兼用防蟻板であって、
前記防蟻用固定板が、垂直下方に且つ先端が外方側へ向くように突設された横断面形状がＬ字状の連結片と、該連結片の先端に垂直下方に突設された防蟻用固定片とを有することを特徴とする土台水切り兼用防蟻板。
【請求項２】
建物の外周部分の基礎上に設置した土台とこの土台の外方側に施工される外壁仕上げ材の下端部との間に上端部が位置するようにして前記基礎に下端部が固定される防蟻用固定板と、
該防蟻用固定板の上端部にこの防蟻用固定板より外方側で突設された水切り板と
を備えた土台水切り兼用防蟻板であって、
前記防蟻用固定板が、前記水切り板の上端部に水平且つ内方側に突設された通気片と、該通気片の先端に垂直下方に且つ先端が外方側へ向くように突設された横断面形状がＬ字状の連結片と、該連結片の先端に垂直下方に突設された防蟻用固定片とから構成されていることを特徴とする土台水切り兼用防蟻板。
【請求項３】
前記防蟻用固定板が、少なくともいずれかの方向においてシロアリの頭部横断面における最大寸法の２倍以下の寸法である複数の通気孔を有することを特徴とする請求項１又は２記載の土台水切り兼用防蟻板。
【請求項４】
請求項１記載の土台水切り兼用防蟻板の固定板の少なくとも上端部を、前記土台と外壁仕上げ材の下端部との間に前記水切り板を外方側に向けた状態で固定すると共に、前記防蟻用固定板の連結片を前記基礎上に載置し且つ前記防蟻用固定板の防蟻用固定片を前記基礎の外側面に固定したことを特徴とする土台水切り兼用防蟻板の取付構造。
【請求項５】
請求項１記載の土台水切り兼用防蟻板の固定板の少なくとも上端部を、前記土台の外方側に取付けられる通気胴縁の下端部と外壁仕上げ材の下端部との間に前記水切り板を外方側に向けた状態で固定すると共に、前記防蟻用固定板の連結片を前記基礎上に載置し且つ前記防蟻用固定板の防蟻用固定片を前記基礎の外側面に固定した土台水切り兼用防蟻板の取付構造であって、
前記防蟻用固定板が、少なくともいずれかの方向においてシロアリの頭部横断面における最大寸法の２倍以下の寸法である複数の通気孔を有することを特徴とする土台水切り兼用防蟻板の取付構造。
【請求項６】
請求項２記載の土台水切り兼用防蟻板の水切り板を外方側に向けた状態で前記防蟻用固定板の上端部が前記土台と外壁仕上げ材の下端部との間に位置するようにして、前記防蟻用固定板の連結片を前記基礎上に載置し且つ前記防蟻用固定板の防蟻用固定片を前記基礎の外側面に固定したことを特徴とする土台水切り兼用防蟻板の取付構造。
【請求項７】
請求項２記載の土台水切り兼用防蟻板の水切り板を外方側に向けた状態で前記防蟻用固定板の上端部が前記土台と外壁仕上げ材の下端部との間に位置するようにして、前記防蟻用固定板の連結片を前記基礎上に載置し且つ前記防蟻用固定板の防蟻用固定片を前記基礎の外側面に固定すると共に、前記土台と外壁仕上げ材との間に通気胴縁を取付けた土台水切り兼用防蟻板の取付構造であって、
前記防蟻用固定板が、少なくともいずれかの方向においてシロアリの頭部横断面における最大寸法の２倍以下の寸法である複数の通気孔を有することを特徴とする土台水切り兼用防蟻板の取付構造。
【発明の詳細な説明】
【０００１】
【発明の属する技術分野】
この発明は、建物の外周部分の基礎の外側面に密着した断熱材の内部や、基礎の外側面又は断熱材の外側面に塗布された仕上げモルタルに発生するひび割れの内部をシロアリが通過して、軸組等へ侵入するのを物理的に防止する土台水切り兼用防蟻板及びその取付構造に関する。
【０００２】
【従来の技術】
周知のように、寒冷地等においては、建物の外周部分に施工された布基礎の立ち上がり部等の外側面に、基礎断熱を目的として断熱材が取付けられることが多い。また、立ち上がり部等や断熱材の外側面には、表面仕上げを目的として仕上げモルタル等が塗布されることが多い。
【０００３】
【発明が解決しようとする課題】
しかしながら、上記のような断熱材としては合成樹脂断熱材が使用されているので、シロアリがこの合成樹脂断熱材の内部を通過して軸組等まで到達し、これら軸組等がシロアリによる食害を受けることがあるという問題点がある。
【０００４】
また、仕上げモルタルにおいては、乾燥収縮や温度変化等によりひび割れが発生することがある。この場合、ひび割れが地盤から仕上げモルタルの上方の空間まで連通しているときにも、地盤中からひび割れに侵入したシロアリがこのひび割れの内部を通過して軸組等まで到達することがあるという問題点がある。
【０００５】
この発明は、以上のような問題点に鑑みてなされたものであり、建物の外周部分の基礎の外側面に密着した断熱材の内部や、この断熱材の外側面又は基礎の外側面に塗布された仕上げモルタルに発生するひび割れの内部をシロアリが通過して、軸組等へ侵入するのを物理的且つ効果的に防止できる土台水切り兼用防蟻板及びその取付構造を提供することを目的とする。
【０００６】
【課題を解決するための手段】
上記目的を達成するために、請求項１の土台水切り兼用防蟻板の手段とするところは、建物の外周部分の基礎上に設置した土台とこの土台の外方側に施工される外壁仕上げ材の下端部との間に少なくとも上端部が固定される固定板と、該固定板の下端部に突設された水切り板と、前記固定板の下端部に前記水切り板より内方側で突設されて前記基礎に下端部が固定される防蟻用固定板とを備えた土台水切り兼用防蟻板であって、前記防蟻用固定板が、垂直下方に且つ先端が外方側へ向くように突設された横断面形状がＬ字状の連結片と、該連結片の先端に垂直下方に突設された防蟻用固定片とを有することにある。
【０００７】
請求項２の手段とするところは、建物の外周部分の基礎上に設置した土台とこの土台の外方側に施工される外壁仕上げ材の下端部との間に上端部が位置するようにして前記基礎に下端部が固定される防蟻用固定板と、該防蟻用固定板の上端部にこの防蟻用固定板より外方側で突設された水切り板とを備えた土台水切り兼用防蟻板であって、前記防蟻用固定板が、前記水切り板の上端部に水平且つ内方側に突設された通気片と、該通気片の先端に垂直下方に且つ先端が外方側へ向くように突設された横断面形状がＬ字状の連結片と、該連結片の先端に垂直下方に突設された防蟻用固定片とから構成されていることにある。
【０００８】
請求項３の手段とするところは、前記防蟻用固定板が、少なくともいずれかの方向においてシロアリの頭部横断面における最大寸法の２倍以下の寸法である複数の通気孔を有することにある。
【０００９】
また、請求項４の土台水切り兼用防蟻板の取付構造の手段とするところは、請求項１記載の土台水切り兼用防蟻板の固定板の少なくとも上端部を、前記土台と外壁仕上げ材の下端部との間に前記水切り板を外方側に向けた状態で固定すると共に、前記防蟻用固定板の連結片を前記基礎上に載置し且つ前記防蟻用固定板の防蟻用固定片を前記基礎の外側面に固定したことにある。
【００１０】
請求項５の手段とするところは、請求項１記載の土台水切り兼用防蟻板の固定板の少なくとも上端部を、前記土台の外方側に取付けられる通気胴縁の下端部と外壁仕上げ材の下端部との間に前記水切り板を外方側に向けた状態で固定すると共に、前記防蟻用固定板の連結片を前記基礎上に載置し且つ前記防蟻用固定板の防蟻用固定片を前記基礎の外側面に固定した土台水切り兼用防蟻板の取付構造であって、前記防蟻用固定板が、少なくともいずれかの方向においてシロアリの頭部横断面における最大寸法の２倍以下の寸法である複数の通気孔を有することにある。
【００１１】
請求項６の手段とするところは、請求項２記載の土台水切り兼用防蟻板の水切り板を外方側に向けた状態で前記防蟻用固定板の上端部が前記土台と外壁仕上げ材の下端部との間に位置するようにして、前記防蟻用固定板の連結片を前記基礎上に載置し且つ前記防蟻用固定板の防蟻用固定片を前記基礎の外側面に固定したことにある。
【００１２】
請求項７の手段とするところは、請求項２記載の土台水切り兼用防蟻板の水切り板を外方側に向けた状態で前記防蟻用固定板の上端部が前記土台と外壁仕上げ材の下端部との間に位置するようにして、前記防蟻用固定板の連結片を前記基礎上に載置し且つ前記防蟻用固定板の防蟻用固定片を前記基礎の外側面に固定すると共に、前記土台と外壁仕上げ材との間に通気胴縁を取付けた土台水切り兼用防蟻板の取付構造であって、前記防蟻用固定板が、少なくともいずれかの方向においてシロアリの頭部横断面における最大寸法の２倍以下の寸法である複数の通気孔を有することにある。
【００１３】
【発明の実施の形態】
以下、この発明の実施形態を図面に基づいて説明する。
図１乃至図３に示すように、第１実施形態に係る土台水切り兼用防蟻板１の取付構造は、例えば、固定板２と水切り板３と防蟻用固定板４とを備えた土台水切り兼用防蟻板１の前記固定板２の上端部２ｃを含む所定範囲を、建物Ａの外周部分の布基礎（基礎）５の立ち上がり部６上に設置した土台７の外方側に取付けられる通気胴縁８の下端部８ｄとサイディング（外壁仕上げ材）９の下端部９ｄとの間に、前記水切り板３を外方側に向けた状態で固定すると共に、前記防蟻用固定板４の下端部４ｄを含む所定範囲を前記立ち上がり部６に固定したものである。
【００１４】
前記布基礎５は、建物Ａの外周部分に平面視で例えば矩形状等に施工され、立ち上がり部６とベース部１０とから横断面が例えば逆Ｔ字状に形成されている。
【００１５】
前記土台７は、立ち上がり部６上に例えば気密パッキン等のスペーサ１１を介して載置されている。この土台７を含む軸組Ｂの外方側には必要に応じて防風用下地板１２が取付けられており、この防風用下地板１２の外方側に複数の通気胴縁８が垂直に且つ横方向に互いに間隔を開けて固定されている。また、この通気胴縁８の外方側には、例えばサイディング９が施工されている。即ち、サイディング９と防風下地板１２との間に通気層が形成されている。なお、通気胴縁８は、防風下地板１２を介在させないで軸組Ｂに直接取付けてもよい。
【００１６】
また、外壁仕上げ材としては、サイディング９の他、タイルや、あるいはラス下地板に取付けたラス網に塗布されるモルタル等が挙げられる。更に、この外壁仕上げ材は、金属サイディングやセラミックサイディング等のように、シロアリの食害を受けない又は受けにくい無機系材料等で構成しておくのが望ましい。
【００１７】
前記土台水切り兼用防蟻板１は、固定板２と水切り板３と防蟻用固定板４とを備え、建物Ａの周方向に延びている。
【００１８】
前記固定板２は、例えば平板状に形成され、通気胴縁８の下端部８ｄ等とサイディング９の下端部９ｄ等との間に少なくとも上端部２ｃが固定される。この固定板２は、釘やビス等で通気胴縁８の下端部８ｄ等に固定すればよい。
【００１９】
前記水切り板３は、横断面が例えばく字状に形成され、立ち上がり部６の外側面６ａに密着した断熱材１３や、この断熱材１３の外側面１３ａに塗布された仕上げモルタル１４の上方を間隔を開けて覆うように前記固定板２の下端部２ｄに突設されている。なお、この水切り板３の横断面形状は特に限定されるものではなく、く字状の他、例えばＬ字状や平板状等であってもよい。また、固定板２の下端部２ｄからの突出角度も斜め下方でなくてもよく、その横断面形状や断熱材１３の有無等に応じて例えば水平や垂直下方等の適宜の方向に突設しておくことができる。
【００２０】
前記防蟻用固定板４は、例えば、固定板２の下端部２ｄに水平且つ内方側に突設された通気片１５と、該通気片１５の先端に垂直下方に突設された横断面形状がＬ字状の連結片１６と、該連結片１６の先端に垂直下方に突設された防蟻用固定片１７とから構成されている。なお、防蟻用固定板４は、このような構成に限定されるものではなく、必要に応じて適宜変更可能である。
【００２１】
前記通気片１５には、必要に応じて複数の貫通孔１８が互いに所定間隔を開けて形成され、図３及び図４に示すように、これら貫通孔１８を閉塞するようにしてその上から例えば帯状のステンレスメッシュ１９が貼付けられている。
【００２２】
前記ステンレスメッシュ１９は、図５に示すようなシロアリ２０の分泌物に耐性で且つ少なくとも約７０のショア硬度を有する耐腐食性材料であるステンレス鋼ワイヤー２１等から製織され、少なくともいずれかの方向において前記シロアリ２０の頭部２０ａの横断面における最大寸法Ｈの２倍以下の寸法である複数の編み目（通気孔）２２を有している。このようなステンレスメッシュ１９としては、例えば、「ターミーメッシュ（ＴＥＲＭＩ−ＭＥＳＨ）」（商品名、ターミーメッシュ・オーストラリア社製）等を好適に使用することができる。
【００２３】
前記シロアリ２０とは、ゴキブリに近縁の社会生活をする不完全変態の昆虫であって、シロアリ目（等翅類）Isopteraの総称である。このようなシロアリ２０としては、例えば、ヤマトシロアリやイエシロアリ等の各種のシロアリが挙げられる。また、このシロアリ２０は、非変形性の堅い頭部２０ａを有する一方、比較的柔らかくて弱い体部２０ｂを有している。
【００２４】
前記防蟻用固定片１７は、立ち上がり部６と例えば断熱材１３との間に固定されている。この防蟻用固定片１７を立ち上がり部６に固定するには、立ち上がり部６への接着、あるいは立ち上がり部６又はこの立ち上がり部６の天端に施工されるならしモルタルへの埋設等の他、図６の参考例に示すように、前記スペーサ１１の下に挟んでもよい。また、図７の参考例に示すように、断熱材１３を使用しない場合には、前記固定板２の下端部２ｄに平板状の水切り板３を垂直下方等に突設しておいてもよい。
【００２５】
このように構成される土台水切り兼用防蟻板１を使用すれば、水切り板３等により土台７等への浸水を防止できると共に、この水切り板３及び防蟻用固定板４により、シロアリ２０が地盤２３から断熱材１３や仕上げモルタル１４のひび割れの内部を通過してこれら断熱材１３の上面１３ｃや仕上げモルタル１４の上面１４ｃまで到達した場合でも、上方の土台７等の軸組Ｂや通気胴縁８等への侵入を防止できるという利点がある。
【００２６】
また、この実施形態のように、防蟻用固定板４に編み目２２等の複数の通気孔を設けると共に、固定板２を通気胴縁８とサイディング９等の外壁仕上げ材との間に固定しておけば、水切り板３と防蟻用固定板４との間に形成される空間部２４と前記通気層とを連通させることができる。更に、通気孔の寸法を、少なくともいずれかの方向において前記最大寸法Ｈの２倍以下としておけば、シロアリ２０の頭部２０ａが通り抜けないか又は頭部２０ａが通り抜けても柔らかい体部２０ｂ等が通気孔に接触するような寸法であり、シロアリ２０がそれを嫌うので、シロアリ２０が通気孔を通り抜けるのを阻止できるという利点がある。
【００２７】
なお、この実施形態では、複数の通気孔を有するステンレスメッシュ１９を通気片１５に貼付けているが、これに限定されるものではなく、通気片１５等に機械加工等により複数の通気孔を直接形成してもよいし、あるいは防蟻用固定板４の少なくとも通気片１５をステンレスメッシュ１９等の複数の通気孔を有するシート材で構成しておいてもよい。いずれにしても、土台水切り兼用防蟻板１のうち、シロアリ２０が歩行する可能性のある少なくとも防蟻用固定板４と水切り板３とは、シロアリ２０から放出されるギ酸等の分泌物に耐性で且つシロアリ２０が噛み砕くことができない硬さ、好ましくは少なくとも約７０のショア硬度、又は噛み砕くことができない衝撃強さ等を有すると共に、使用環境下で数十年の耐用年数を有する耐腐食性材料で構成しておくのが望ましい。
【００２８】
また、建物Ａの外周部分の基礎も布基礎５に限定されるものではなく、例えば、図８に示すようなべた基礎２５の外周部分に施工された外周立ち上がり部２６や、あるいは図９の参考例に示すような軸組Ｂ等が直接設置される基礎スラブ２７の外周部分等が挙げられる。
【００２９】
図１０に示すように、第２実施形態に係る土台水切り兼用防蟻板３１の取付構造は、土台水切り兼用防蟻板３１の固定板２の上端部２ｃを含む所定範囲を、土台７とサイディング９の下端部９ｄとの間に水切り板３を外方側に向けた状態で固定すると共に、防蟻用固定板４の防蟻用固定片１７を第１実施形態と同様に施工された布基礎５の立ち上がり部６に固定したものである。
【００３０】
このように、通気層を設けない場合には、前記固定板２は、土台７等に釘やビス等で固定すればよい。また、防蟻用固定板４にも第１実施形態のような通気片１５や通気孔を設けておく必要はないし、図１１の参考例に示すように、防蟻用固定片１７をスペーサ１１の下に挟んだりしてもよい。
【００３１】
この場合も第１実施形態と同様、水切り板３等により土台７等への浸水を防止できると共に、この水切り板３及び防蟻用固定板４により軸組Ｂ等へのシロアリ２０の侵入を防止できるという利点がある。
【００３２】
図１２に示すように、第３実施形態に係る土台水切り兼用防蟻板４１の取付構造は、第１実施形態のような固定板２を有さない土台水切り兼用防蟻板４１の防蟻用固定板４の下端部４ｄを、水切り板３を外方側に向けた状態でこの防蟻用固定板４の上端部４ｃが土台７とサイディング９の下端部９ｄとの間に位置するようにして前記立ち上がり部６に固定したものである。
【００３３】
前記土台７とサイディング９との間には、第１実施形態と同様、必要に応じて防風用下地板１２や通気胴縁８が取付けられている。
【００３４】
このように、防蟻用固定板４の上端部４ｃが土台７とサイディング９等の下端部９ｄとの間に位置し、即ち、防蟻用固定板４の上端部４ｃがサイディング９等の下面より上方に位置しているので、この防蟻用固定板４の上端部４ｃに突設された水切り板３により土台７等への浸水を防止できると共に、この水切り板３及び防蟻用固定板４により軸組Ｂ等へのシロアリ２０の侵入を防止できるという利点がある。
【００３５】
なお、この実施形態のように、土台７とサイディング９等の外壁仕上げ材との間に通気層を設ける場合には、第１実施形態と同様にして防蟻用固定板４に複数の通気孔を設けておけばよい。
【００３６】
【発明の効果】
以上のように、請求項１の発明によれば、前記固定板と水切り板と防蟻用固定板とを備えているので、土台水切りと防蟻板の両方の機能を有している。即ち、防蟻板を別途施工する必要がないので、コストダウンを図ることができるという利点がある。
【００３７】
請求項２の発明によれば、前記防蟻用固定板と水切り板とを備え、土台水切りと防蟻板の両方の機能を有しているので、請求項１の効果と同様、コストダウンを図ることができるという利点がある。
【００３８】
請求項３の発明によれば、前記防蟻用固定板が、少なくともいずれかの方向においてシロアリの頭部横断面における最大寸法の２倍以下の寸法である複数の通気孔を有するので、請求項１及び請求項２の効果に加え、外壁仕上げ材と軸組の間に通気層を設ける場合にも対応できるという利点がある。
【００３９】
請求項４の発明によれば、請求項１記載の土台水切り兼用防蟻板の固定板の少なくとも上端部を、前記土台と外壁仕上げ材の下端部との間に前記水切り板を外方側に向けた状態で固定すると共に、前記防蟻用固定板の連結片を前記基礎上に載置し且つ前記防蟻用固定板の防蟻用固定片を前記基礎の外側面に固定しているので、水切り板等により土台等への浸水を防止できると共に、この水切り板及び防蟻用固定板により、シロアリが地盤から断熱材や仕上げモルタルのひび割れの内部を通過してこれら断熱材の上面や仕上げモルタルの上面まで到達した場合でも、上方の軸組等への侵入を防止できるという利点がある。
【００４０】
請求項５の発明によれば、請求項１記載の土台水切り兼用防蟻板の固定板の少なくとも上端部を、前記土台の外方側に取付けられる通気胴縁の下端部と外壁仕上げ材の下端部との間に前記水切り板を外方側に向けた状態で固定すると共に、前記防蟻用固定板の連結片を前記基礎上に載置し且つ前記防蟻用固定板の防蟻用固定片を前記基礎の外側面に固定しており、更に、前記防蟻用固定板が複数の通気孔を有しているので、これら複数の通気孔により、水切り板と防蟻用固定板との間に形成される空間部と通気層とを連通させることができる。更に、通気孔の寸法を、少なくともいずれかの方向において前記最大寸法の２倍以下、即ち、シロアリの頭部が通り抜けないか又は頭部が通り抜けても柔らかい体部等が通気孔に接触するような寸法としているので、シロアリが通気孔を通り抜けるのを阻止できるという利点がある。
【００４１】
請求項６の発明によれば、請求項２記載の土台水切り兼用防蟻板の水切り板を外方側に向けた状態で前記防蟻用固定板の上端部が前記土台と外壁仕上げ材の下端部との間に位置するようにして、前記防蟻用固定板の連結片を前記基礎上に載置し且つ前記防蟻用固定板の防蟻用固定片を前記基礎の外側面に固定しているので、この防蟻用固定板の上端部に突設された水切り板により土台等への浸水を防止できると共に、この水切り板及び防蟻用固定板により軸組等へのシロアリの侵入を防止できるという利点がある。
【００４２】
請求項７の発明によれば、請求項２記載の土台水切り兼用防蟻板の水切り板を外方側に向けた状態で前記防蟻用固定板の上端部が前記土台と外壁仕上げ材の下端部との間に位置するようにして、前記防蟻用固定板の連結片を前記基礎上に載置し且つ前記防蟻用固定板の防蟻用固定片を前記基礎の外側面に固定すると共に、前記土台と外壁仕上げ材との間に通気胴縁を取付けており、更に、前記防蟻用固定板が、少なくともいずれかの方向においてシロアリの頭部横断面における最大寸法の２倍以下の寸法である複数の通気孔を有しているので、請求項５の効果と同様、水切り板と防蟻用固定板との間に形成される空間部と通気層とを連通させることができると共に、シロアリが通気孔を通り抜けるのを阻止できるという利点がある。
【図面の簡単な説明】
【図１】  第１実施形態に係る土台水切り兼用防蟻板の取付構造の要部拡大縦断面図。
【図２】  図１の土台水切り兼用防蟻板付近の要部拡大縦断面図。
【図３】  図１の土台水切り兼用防蟻板の一部を示す斜視図。
【図４】  防蟻用固定板の通気片に形成した貫通孔を閉塞するようにしてステンレスメッシュが貼付けられた状態を示す要部拡大平面図。
【図５】  (a)はシロアリの平面図、(b)は(a)のＹ−Ｙ線断面図。
【図６】  防蟻用固定片をスペーサの下に挟んだ参考例を示す要部拡大縦断面図。
【図７】  防蟻用固定片をスペーサの下に挟んだ他の参考例を示す要部拡大縦断面図。
【図８】  土台水切り兼用防蟻板をべた基礎の外周立ち上がり部に使用した例を示す要部拡大縦断面図。
【図９】  土台水切り兼用防蟻板を基礎スラブに使用した参考例を示す要部拡大縦断面図。
【図１０】  第２実施形態に係る土台水切り兼用防蟻板の取付構造の要部拡大縦断面図。
【図１１】  防蟻用固定片をスペーサの下に挟んだ参考例を示す要部拡大縦断面図。
【図１２】  第３実施形態に係る土台水切り兼用防蟻板の取付構造の要部拡大縦断面図。
【図１】
0003735763.tif 000002
【図２】
0003735763.tif 000003
【図３】
0003735763.tif 000004
【図４】
0003735763.tif 000005
【図５】
0003735763.tif 000006
【図６】
0003735763.tif 000007
【図７】
0003735763.tif 000008
【図８】
0003735763.tif 000009
【図９】
0003735763.tif 000010
【図１０】
0003735763.tif 000011
【図１１】
0003735763.tif 000012
【図１２】
0003735763.tif 000013